(57)【要約】【課題】取り扱い性が良好で、しかも流通過程で破断部が不用意に破断することを抑制したアンプルを提供すること。【解決手段】内容物Ｃを収容する有底筒状の容器本体１１と、容器本体１１の口部２３に破断可能な破断部２８を介して連設されて口部２３を密閉する頭部１２と、容器本体１１に着脱自在に装着されて口部２３、破断部２８及び頭部１２を覆うオーバーキャップ１３と、を備え、オーバーキャップ１３の天板部３２には、容器本体１１の軸方向に沿う内側に向けて延在して天板部３２に開口すると共に口部２３内に挿入可能な外径を有する筒部３６が設けられ、オーバーキャップ１３が、頭部１２が取り外された後の容器本体１１に装着された状態で、容器本体１１に対してその軸方向に沿う内側に向けて移動可能とされている。【選択図】図１
2010029598.tif 000002
【特許請求の範囲】
【請求項１】
内容物を収容する有底筒状の容器本体と、
該容器本体の口部に破断可能な破断部を介して連設されて前記口部を密閉する頭部と、
前記容器本体に着脱自在に装着されて前記口部、前記破断部及び前記頭部を覆うオーバーキャップと、を備え、
前記オーバーキャップの天板部には、前記容器本体の軸方向に沿う内側に向けて延在して当該天板部に開口すると共に前記口部内に挿入可能な外径を有する筒部が設けられ、
前記オーバーキャップが、前記頭部が取り外された後の前記容器本体に装着された状態で、前記容器本体に対してその軸方向に沿う内側に向けて移動可能とされていることを特徴とするアンプル。
【請求項２】
前記筒部の前記天板部における開口部を閉栓する栓体を備えることを特徴とする請求項１に記載のアンプル。
【請求項３】
前記栓体が、ヒンジ部を介して前記オーバーキャップに連設されていることを特徴とする請求項２に記載のアンプル。
【発明の詳細な説明】
【技術分野】
【０００１】
本発明は、例えば液体、粉体、顆粒体、ペーストなどの内容物を収容するアンプルに関するものである。
【背景技術】
【０００２】
従来から、アンプルとして、内容物が充填される有底筒状の容器本体と、この容器本体の口部に破断可能な破断部を介して連設されて容器本体の胴部よりも小径の首部とを備える構成が知られている（例えば、特許文献１参照）。この種のアンプルでは、内容物を取り出す際、例えば容器本体を把持した状態で首部を押し倒すなどして破断部を破断し、容器本体の口部を開口した後にこの口部から内容物を取り出す。
【特許文献１】特許第３４７７０７９号公報
【発明の開示】
【発明が解決しようとする課題】
【０００３】
しかしながら、上記従来のアンプルにおいても、以下の課題が残されている。すなわち、従来のアンプルでは、破断部を破断したときに口部の開口周縁にバリが発生することがある。そして、このバリにより、内容物を取り出す際のアンプルの取り扱い性が低下するという問題がある。また、流通の過程においてアンプルに加えられた不意の外力により、破断部が破断するおそれがあった。
【０００４】
本発明は、前述の課題に鑑みてなされたもので、取り扱い性が良好で、しかも流通過程で破断部が不用意に破断することを抑制したアンプルを提供することを目的とする。
【課題を解決するための手段】
【０００５】
本発明は、上記のような課題を解決するために以下のような手段を採用した。すなわち、本発明のアンプルは、内容物を収容する有底筒状の容器本体と、該容器本体の口部に破断可能な破断部を介して連設されて前記口部を密閉する頭部と、前記容器本体に着脱自在に装着されて前記口部、前記破断部及び前記頭部を覆うオーバーキャップと、を備え、前記オーバーキャップの天板部には、前記容器本体の軸方向に沿う内側に向けて延在して当該天板部に開口すると共に前記口部内に挿入可能な外径を有する筒部が設けられ、前記オーバーキャップが、前記頭部が取り外された後の前記容器本体に装着された状態で、前記容器本体に対してその軸方向に沿う内側に向けて移動可能とされていることを特徴とする。
【０００６】
この発明では、頭部を取り外した後に再度オーバーキャップを容器本体に装着して容器本体の軸方向の内側に向けて移動させると、筒部が口部内に挿入される。このため、破断部を破断した後に口部の開口周縁にバリが発生しても、筒部が口部内に挿入されることで、バリを天板部で覆うことができる。そして、使用者は、筒部の天板部における開口部を通して容器本体内の内容物を取り出すことで、前記バリに触れることなく内容物を取り出すことができる。
また、オーバーキャップにより口部、破断部及び頭部が覆われているので、流通の過程でアンプルに不意の外力が加わったとしても、この外力をオーバーキャップで受けて破断部に外力が加わることを抑えることができる。
【０００７】
また、本発明のアンプルは、前記筒部の前記天板部における開口部を閉栓する栓体を備えることが好ましい。
この発明では、いったん頭部を取り外してアンプルを開封した後であっても、筒部の天板部における開口部を閉栓できるため、内容物を一度で使い切らなくても内容物を保存できる。このため、容器本体に収容される内容物の種類が限定されることを防止できる。
【０００８】
また、本発明のアンプルは、前記栓体が、ヒンジ部を介して前記オーバーキャップに連設されていることが好ましい。
この発明では、栓体がオーバーキャップと一体化されることで、栓体の開閉操作が容易になる。
【発明の効果】
【０００９】
この発明にかかるアンプルによれば、筒部の天板部における開口部を通して容器本体内の内容物を取り出すことで、バリに触れることなく内容物を取り出すことができ、取り扱い性が向上する。また、アンプルに不意の外力が加わったとしても、この外力をオーバーキャップで受けて破断部に外力が加わることを抑えることができる。
【発明を実施するための最良の形態】
【００１０】
以下、本発明によるアンプルの一実施形態を、図面に基づいて説明する。なお、以下の説明に用いる各図面では、各部材を認識可能とするために縮尺を適宜変更している。
本実施形態におけるアンプル１は、図１に示すように、例えば液体、粉体、顆粒体、ペーストなどの内容物Ｃを収容する容器本体１１、頭部１２及びオーバーキャップ１３を備えている。
なお、容器本体１１、頭部１２及びオーバーキャップ１３は、それぞれ円筒状に形成されており、それぞれの中心軸が共通軸上に位置している。以下、この共通軸を中心軸線（容器本体軸）Ｏと称する。また、本実施形態では、中心軸線Ｏに沿ってオーバーキャップ１３側を「上側」とし、その反対側を「下側」とする。さらに、本実施形態では、中心軸線Ｏと直交する方向を「径方向」とする。
【００１１】
容器本体１１は、例えば合成樹脂などで一体に形成されており、有底筒状の胴部２１と、胴部２１の上端から上方に向かうにしたがって縮径された肩部２２と、肩部２２の上端に延在する口部２３とを備えている。
胴部２１は、ほぼ円筒形をなしている。そして、胴部２１の上端近傍における外周面には、オーバーキャップ１３に形成された後述する係合凹部３４と係合する係合凸部２４が全周にわたって設けられている。
口部２３内は、容器本体１１の内部と連通している。以下、口部２３の径方向内側を取出孔部２５と称する。
【００１２】
頭部１２は、下端が開口した有頂筒状をなす中空部材である。また、頭部１２は、口部２３の取出孔部２５の周縁から上方に延在している。そして、頭部１２は、口部２３に破断部２８を介して連設されており、容器本体１１を密閉している。
破断部２８は、その肉厚を口部２３や頭部１２よりも十分に薄くすることによって形成されている。そのため、破断部２８は、容器本体１１を把持した状態で頭部１２を押し倒す、引っ張る、または捩るなどの操作により容易に破断される。
【００１３】
オーバーキャップ１３は、有頂筒状をなしており、周壁部３１と、周壁部３１の上端に設けられた天板部３２と、天板部３２を閉塞する栓体３３とを備えている。
周壁部３１は、ほぼ円筒形をなしており、内径が胴部２１の外径とほぼ同等となっている。周壁部３１の下部の内周面には、全周にわたって係合凸部２４と係合する係合凹部３４が設けられている。
【００１４】
天板部３２は、平面視でほぼ円形をなしている。天板部３２の中央部には、開口部（筒部の天板部における開口部）３５が形成されている。また、天板部３２の下面には、下方に向けて突出して開口部３５の周縁を囲む筒部３６が設けられている。また、天板部３２の上面には、栓体３３を収容する収容溝部３７が形成されている。収容溝部３７の径方向の長さは、栓体３３の径方向の長さよりも長くなっている。そのため、収容溝部３７における中心軸線Ｏ側の端縁と栓体３３における中心軸線Ｏ側の端縁との間には、間隙が形成されている。そして、この間隙に指先を挿入して、栓体３３の開放を行う。
筒部３６は、外径が取出孔部２５の内径とほぼ等しくなっており、取出孔部２５内に挿入可能となっている。これによって、筒部３６の外面と取出孔部２５の内面との間が液密に圧接されている。また、筒部３６の長さは、オーバーキャップ１３の係合凹部３４を容器本体１１の係合凸部２４と係合させた状態において筒部３６の下端が頭部１２の上端と接触せず、かつ口部２３の肉厚よりも長い程度となっている。
【００１５】
栓体３３は、平面視でほぼ帯状をなしており、収容溝部３７に収容された状態において天板部３２の径方向外縁から天板部３２の中央部まで延在する。また、栓体３３の径方向内側の端部には、収容溝部３７に収容された状態において開口部３５に嵌め込まれて開口部３５を閉塞する閉塞凸部３８が設けられている。さらに、栓体３３の径方向外側の端部は、ヒンジ部３９を介して天板部３２の径方向外縁に連設されている。
ヒンジ部３９の肉厚は、栓体３３及び天板部３２よりも十分に薄くなっている。このため、栓体３３は、ヒンジ部３９まわりに天板部３２に対して上下方向で接近離間するように回動自在に配設されている。
【００１６】
次に、上記アンプル１の使用方法について説明する。まず、使用者は、オーバーキャップ１３を取り外した後に、容器本体１１を把持した状態で例えば頭部１２を押し倒すことによって破断部２８を破断し、頭部１２を容器本体１１から取り外して取出孔部２５を開口させる（図２参照）。このとき、取出孔部２５の周縁には、バリが形成されることがある。
【００１７】
そして、オーバーキャップ１３を再び容器本体１１に被着させる（図３及び図４参照）。ここで、頭部１２が取り外されているため、オーバーキャップ１３は、係合凹部３４が係合凸部２４に係合する位置よりも十分に容器本体１１に対して下方に押し込み可能となる。そのため、オーバーキャップ１３の周壁部３１を容器本体１１の胴部２１の外周面に沿って中心軸線Ｏ方向に押し込んでいくと、筒部３６は、取出孔部２５内に挿通され、その下端が容器本体１１内に至る。そして、取出孔部２５の周縁に形成されうるバリは、オーバーキャップ１３で被覆されることで外部に露出しない。このとき、栓体３３の閉塞凸部３８は、開口部３５と係合しており、開口部３５を閉塞している。
【００１８】
その後、栓体３３をヒンジ部３９回りにオーバーキャップ１３の天板部３２に対して上方に向けて回動させ、閉塞凸部３８と開口部３５との係合状態を解除して開口部３５を開放する（図５及び図６参照）。これにより、筒部３６は、容器本体１１の内部とアンプル１の外部とを連通する。そして、使用者は、筒部３６及び開口部３５を介して容器本体１１内の内容物Ｃを外部に取り出す。このとき、容器本体１１の上端をオーバーキャップ１３で被覆しているため、使用者は、破断部２８を破断することにより取出孔部２５の周縁に形成されうるバリに触れることがない。また、栓体３３は、他端部がヒンジ部３９を介して天板部３２と一体化されているため、内容物を取り出している間などにおいて紛失することがない。
【００１９】
そして、容器本体１１内の内容物Ｃを一度に使い切らない場合には、栓体３３の閉塞凸部３８を開口部３５と係合させることによって容器本体１１を閉栓することで、内容物Ｃの保存をすることができる。
【００２０】
このような構成のアンプル１によれば、筒部３６の開口部３５を介して容器本体１１内の内容物Ｃを取り出しており、取出孔部２５の周囲に触れることなく内容物Ｃを取り出すことができる。このため、アンプル１の取り扱い性が向上する。また、アンプル１に不意の外力が加わったとしても、この外力をオーバーキャップ１３で受けて破断部２８に外力が加わることを抑えることができる。
そして、栓体３３が閉栓するため、内容物Ｃを一度で使い切る必要がなくなり、容器本体１１に収容される内容物Ｃの種類を多くすることができる。さらに、栓体３３がオーバーキャップ１３と一体化されることで、栓体３３を紛失することがなくなり、栓体３３の取り扱い性が向上する。
【００２１】
なお、本発明は上記実施形態に限定されるものではなく、本発明の趣旨を逸脱しない範囲において種々の変更を加えることができる。
例えば、筒部の外径は、液密性がなくても対応可能であるような例えば錠剤などの場合、取出孔部の内径よりも小さくてもよい。
また、取出孔部内に筒部を挿入した状態において、筒部の下端を容器本体内に突出させているが、筒部の下端を容器本体内に突出させずに取出孔部内に位置させてもよい。
そして、オーバーキャップが胴部に沿って中心軸線方向で下方にスライド移動するように構成されているが、オーバーキャップの内周面に雌ネジ部を形成すると共に胴部の外周面に雄ネジ部を形成することによってオーバーキャップを胴部に対して螺入することによりオーバーキャップを中心軸線方向で下方に移動させてもよい。
【００２２】
また、ヒンジ部は、その肉厚を栓体及び天板部それぞれよりも薄くすることによって形成されているが、その他の構造であってもよい。
そして、栓体は、ヒンジ部によって天板部に接続されているが、天板部に限らず、周壁部であってもよい。
さらに、栓体は、ヒンジ部によって天板部と一体に形成されているが、ヒンジ部により天板部と接続せずに別体であってもよい。
また、栓体として、ネジキャップや、ヒンジ部により連結されず、単に開口部に挿入されるだけの筒状あるいは棒状栓などを採用することも可能である。
そして、例えば内容物を一度に使い切る場合などでは、栓体を設けなくてもよい。
さらに、頭部は、中空に限らず、中実であってもよい。
【産業上の利用可能性】
【００２３】
この発明によれば、取り扱い性が良好で、しかも流通過程で破断部が不用意に破断することを抑制したアンプルに関して、産業上の利用可能性が認められる。
【図面の簡単な説明】
【００２４】
【図１】本発明の一実施形態におけるアンプルを示す軸方向断面図である。
【図２】図１において頭部を取り外した状態を示す軸方向断面図である。
【図３】アンプルの使用方法を説明する説明図である。
【図４】図３の平面図である。
【図５】同じく、アンプルの使用方法を説明する説明図である。
【図６】図５の平面図である。
【符号の説明】
【００２５】
１  アンプル、１１  容器本体、１２  頭部，１３  オーバーキャップ、２３  口部、２８  破断部、３２  天板部、３３  栓体、３５  開口部（筒部の天板部における開口部）、３６  筒部、３９  ヒンジ部、Ｃ  内容物
【図１】
2010029598.tif 000003
【図２】
2010029598.tif 000004
【図３】
2010029598.tif 000005
【図４】
2010029598.tif 000006
【図５】
2010029598.tif 000007
【図６】
2010029598.tif 000008